(57)【要約】【課題】隣接する建築板の色違いや接合部分を目立たないようにすることができる建築板を提供する。【解決手段】板状の基材１表面に印刷又は塗装によって複数の柄部２が形成されてなる建築板Ａに関する。隣り合う前記柄部２，２のうち、少なくとも一方の前記柄部２には、他方の前記柄部２の一部領域まで次第に消失するように延長される延長部１０が形成される。前記延長部１０と前記他方の柄部２とは互いに視認可能に重ね合わされたように表現される。【選択図】図１
2013204339.tif 000002
【特許請求の範囲】
【請求項１】
板状の基材表面に印刷又は塗装によって形成される複数の柄部が形成されてなる建築板であって、隣り合う前記柄部のうち、少なくとも一方の前記柄部には、他方の前記柄部の一部領域まで次第に消失するように延長される延長部が形成され、前記延長部と前記他方の柄部とは互いに視認可能に重ね合わされたように表現されて成ることを特徴とする建築板。
【請求項２】
前記基材の表面には凹溝が形成されており、前記延長部を形成した前記柄部と前記延長部との境界部分は前記凹溝の底面縁部とを略一致させて成ることを特徴とする請求項１に記載の建築板。
【請求項３】
前記凹溝は箱目地又はＶ目地に形成されて成ることを特徴とする請求項２に記載の建築板。
【発明の詳細な説明】
【技術分野】
【０００１】
本発明は、建物の外装材などとして用いられる建築板に関するものである。
【背景技術】
【０００２】
従来より、基板の表面に凹凸模様を形成し、この表面にインクジェット塗装などで印刷して着色することにより建築板を形成することが行われている（例えば、特許文献１参照）。また、長手方向に通し目地を有する建築板において、隣接する建築板の通し目地の位置ずれによる違和感を低減することも行われている（例えば、特許文献２参照）。
【先行技術文献】
【特許文献】
【０００３】
【特許文献１】特開２００７−１７００１４号公報
【特許文献２】特開２００３−１８４２６２号公報
【発明の概要】
【発明が解決しようとする課題】
【０００４】
しかし、凹凸模様を有する基板に対して正確な位置に印刷柄を形成することは難しく、凹凸模様に対する印刷柄の位置ずれが建築板毎に発生することがあった。従って、複数枚の建築板を縦横に並べて施工した場合に、隣接する建築板の間で生じる色違いが目立つことがあり、また、隣接する建築板の接合部分も目立つことがあり、建物の外観を損なうことがあった。
【０００５】
本発明は上記の点に鑑みてなされたものであり、隣接する建築板の色違いや接合部分を目立たないようにすることができる建築板を提供することを目的とするものである。
【課題を解決するための手段】
【０００６】
本発明に係る建築板は、板状の基材表面に印刷又は塗装によって複数の柄部が形成されてなる建築板であって、隣り合う前記柄部のうち、少なくとも一方の前記柄部には、他方の前記柄部の一部領域まで次第に消失するように延長される延長部が形成され、前記延長部と前記他方の柄部とは互いに視認可能に重ね合わされたように表現されて成ることを特徴とするものである。
【０００７】
本発明にあっては、前記基材の表面には凹溝が形成されており、前記延長部を形成した前記柄部と前記延長部との境界部分は前記凹溝の底面縁部とを略一致させることが好ましい。
【０００８】
本発明にあっては、前記凹溝は箱目地又はＶ目地に形成されていることが好ましい。
【発明の効果】
【０００９】
本発明は、隣り合う前記柄部のうち、少なくとも一方の前記柄部には、他方の前記柄部の一部領域まで次第に消失するように延長される延長部が形成され、前記延長部と前記他方の柄部とは互いに視認可能に重ね合わされたように表現されているので、柄部が所定の位置から若干位置ずれして形成された場合でも、隣接する建築板の色違いや接合部分を目立たないようにすることができるものである。
【図面の簡単な説明】
【００１０】
【図１】本発明の実施の形態の一例を示す一部の正面図である。
【図２】同上の基材の一例を示し、（ａ）は側面図、（ｂ）は正面図である。
【図３】本発明の他の実施の形態の一例を示す一部の正面図である。
【図４】同上の基材の他例を示し、（ａ）は側面図、（ｂ）は正面図である。
【図５】同上の図１の建築板を示す写真である。
【図６】同上の図３の建築板を示す写真である。
【発明を実施するための形態】
【００１１】
以下、本発明を実施するための形態を説明する。
【００１２】
本実施の形態の建築板Ａは、板状の基材１の表面に印刷又は塗装によって複数の柄部２が形成されたものである。
【００１３】
基材１は従来から建材として用いられているものであれば、特に限定なく用いることができる。基材１は、例えば、セメント硬化物で形成される窯業系基板、合板などの木質系基板、ステンレス鋼板などの金属系基板などを挙げることができる。基材１は正面視において略長方形に形成されていることが好ましい。
【００１４】
基材１の柄部２が形成される表面は、平坦に形成されていても良いし、凹凸に形成されていても良い。図２に示す基材１は、柄部２が形成される表面が凸面３と凹面４と斜面５とで構成されて凹凸面に形成されている。凸面３は凹面４よりも突出した位置（基材１の表面側に寄った位置）に形成されている。凸面３は正面視で基材１の長手方向と略平行に細長い矩形状に形成されている。また、凸面３は基材１の長手方向と略直交する方向に並べるようにして複数設けられている。凹面４は隣り合う凸面３，３の間及び基材１の端部に沿って形成されている。隣り合う凸面３，３の間及び基材１の長手端部に沿って形成されている凹面４は、正面視で基材１の長手方向と略平行に細長い矩形状に形成されている。また、基材１の短手端部に沿って形成されている凹面４は、正面視で基材１の長手方向と略直交する方向に細長い矩形状に形成されている。斜面５は凸面３と凹面４とにわたって形成されている。斜面５の上側端縁は凸面３の端縁と連続するように形成されている。また、斜面５の下側端縁は凹面４と連続するように形成されている。
【００１５】
そして、一つの凸面３とその周端縁に連続する斜面５とで凸条６が形成される。また、一つの凹面４とその長手端縁に連続する斜面５とで凹溝７が形成される。凸条６は基材１の長手方向と略平行に略全長にわたって形成されている。また、凸条６は基板１の長手方向と直交する方向に並ぶようにして複数本設けることができる。また、隣り合う凸条３、３の間は凹溝７として形成されている。従って、凹溝７は基材１の長手方向と略平行に略全長にわたって形成されている。また、凹溝７は基材１の長手方向と直交する方向に並ぶようにして複数本設けることができる。凹溝７は所定の幅寸法の平坦面の凹面４を底面として有するため、箱目地として形成されるものである。このように基材１の表面には、基材１の長手方向と略直交する方向において、凹溝７と凸条６とが交互に並設されている凹凸模様が形成されている。尚、本実施の形態においては、基材１の上下端面または左右端面に相決り接合される実部を設けても良い。また、凹溝７の幅寸法（長手方向と直交する方向の寸法）は３〜５０ｍｍ、凹溝７の深さ寸法は２〜１５ｍｍ、隣り合う凹溝７、７の間隔は５〜５０ｍｍとすることができるが、これに限定されるものではない。
【００１６】
柄部２は、凸面３の全面にわたって形成される凸面柄８と、凹面４の全面にわたって形成される凹面柄９とで構成されている。凸面柄８と凹面柄９は、正面視の形状が同じであってもよいし、異なっていてもよい。また、凸面柄８と凹面柄９がそれぞれ単色で形成されている場合は、凸面柄８と凹面柄９とは異なる色で形成することができる。また、凸面柄８と凹面柄９の一方あるいは両方が複数色で形成されている場合は、凸面柄８と凹面柄９のすべての色が異なっていてもよいが、一部の色が凸面柄８と凹面柄９に共通に用いられていてもよい。
【００１７】
図１に示す建築板Ａでは、凸面柄８は多数個の線状柄８ａを縦横に並べて形成されている。線状柄８ａは正面視の形状が基材１の長手方向と略直交する方向に細長い長方形に形成されている。また、隣接する線状柄８ａは色が異なって形成されており、例えば、一方の線状柄８ａを茶色で形成し、他方の線状柄８ａを白色で形成することができる。尚、線状柄８ａの色は三種類以上であってもよい。また、線状柄８ａの太さは一定であってもよいし、太さの異なる複数種の線状柄８ａを形成してもよい。太さの異なる複数種の線状柄８ａとした場合には、建築板Ａ同士の接合部をより目立ち難くすることができるものである。また、凸面柄８は全ての凸面３で同じであってもよいし、凸面３毎に異なるようにしてもよい。また、凸面柄８は線状柄８ａのみで形成するだけでなく、各種の色や形状の柄模様で形成することができる。
【００１８】
凹面柄９は多数個の線状柄９ａを縦横に並べて形成されている。線状柄９ａは正面視の形状が基材１の長手方向と略平行な方向に細長い長方形に形成されている。また、隣接する線状柄９ａは色が異なって形成されており、例えば、一方の線状柄９ａを黒色で形成し、他方の線状柄９ａを白色で形成することができる。また、線状柄９ａは太さの異なる三種類以上のものが形成されている。尚、線状柄９ａの色は三種類以上であってもよい。また、線状柄９ａの太さは一定であってもよい。また、凹面柄９は全ての凹面４で同じであってもよいし、各凹面４毎に異なるようにしてもよい。また、凸面柄９は線状柄９ａのみで形成するだけでなく、各種の色や形状の柄模様で形成することができる。
【００１９】
上記のようにして形成された柄部２は平面視において、斜面５を挟んで隣り合うように形成されている。すなわち、凸面柄８と凹面柄９とは、平面視において、斜面５を挟んで隣り合うように形成されている。また、各柄部２の周端部には延長部１０が形成されている。延長部１０は柄部２の周端部からこの柄部２と隣り合う他の柄部２の一部領域まで達するように形成されている。すなわち、凸面柄８の周端部（長手端部及び短手端部）には凸面柄延長部１１が形成されている。この凸面柄延長部１１は凸面柄８に隣り合う凹面柄９の一部領域にまで達するように形成されている。また、凹面柄９の周端部（長手端部及び短手端部）には凹面柄延長部１２が形成されている。この凹面柄延長部１２は凹面柄９に隣り合う凸面柄８の一部領域にまで達するように形成されている。
【００２０】
さらに、延長部１０は柄部２と同様の色及び形状に形成されるが、その柄部２の周端部から遠ざかるほど徐々に薄くなって次第に消失する（フェードアウトする）ように形成されている。すなわち、凸面柄延長部１１は凸面柄８と同様の色及び形状に形成されるが、その凸面柄８の周端部から遠ざかるほど徐々に薄くなって次第に消失するように形成されている。また、凹面柄延長部１２は凹面柄９と同様の色及び形状に形成されるが、その凹面柄９の周端部から遠ざかるほど徐々に薄くなって次第に消失するように形成されている。そして、延長部１０とこの延長部１０が一部領域にまで延長された柄部２とが互いに視認可能に重ね合わされたように表現されている。すなわち、凸面柄延長部１１とこの凸面柄延長部１１が延長された凹面柄９の一部領域とは、互いに視認可能に重ね合わされたように表現されている。また、凹面柄延長部１２とこの凹面柄延長部１２が延長された凸面柄８の一部領域とは、互いに視認可能に重ね合わされたように表現されている。さらに、斜面５では凸面柄延長部１１と凹面柄延長部１２とが互いに視認可能に重ね合わされたように表現されている。尚、凸面柄８における上記「一部領域」とは、凸面柄８の端縁から凸面柄８の中央部に向かって１〜５ｍｍの寸法の領域をいう。また。凹面柄９における上記「一部領域」とは、凹面柄９の端縁から凹面柄９の中央部に向かって１〜５ｍｍの寸法の領域をいう。また、上記「視認可能」とは、凸面柄延長部１１と凹面柄９、又は凹面柄延長部１２と凸面柄８、又は凸面柄延長部１１と凹面柄延長部１２とが透かして見えているような状態をいう。
【００２１】
上記のように形成される建築板Ａでは、凸面柄８と凹面柄９との境界部分が不鮮明になる。従って、凸面柄８や凹面柄９が本来形成される位置より若干ずれて形成されたとしても、その位置ずれが目立ちにくくなる。よって、複数枚の建築板Ａを縦横に並べて施工した場合に、隣接する建築板Ａの色違いや接合部分を目立たないようにすることができる。
【００２２】
上記のような建築板Ａにおいて、凹面柄９と凹面柄延長部１２との境界部分は凹溝７の底面縁部とを略一致させることが好ましい。すなわち、凹面柄９と凹面柄延長部１２との境界部分に仮想境界線Ｌを想定した場合に、この仮想境界線Ｌが凹溝７の底面である凹面４の長手端部とが略一致するように形成されるのが好ましい。この場合、製造工程での基材寸法、目地位置、印刷位置等のバラツキを許容できる範囲がより広がるという効果を奏するものである。
【００２３】
図３に他の実施の形態の一例を示す。この建築板Ａの基材１は上記と同様に、窯業系基板等で平面視が略長方形に形成されている。また、基材１には凹溝７が基材１の長手方向と略平行に略全長にわたって形成されている。また、凹溝７は基材１の長手方向と直交する方向に並ぶようにして複数本設けることができる。ここで、図４に示すように、凹溝７としては、上記と同様の箱目地７ａと、ほとんど幅寸法のない凹面４を底面とする断面略Ｖ字状のＶ目地７ｂとが形成されている。箱目地７ａとＶ目地７ｂとは、基材１の長手方向と略直交する方向において、交互に形成することができる。このように基材１の表面には、基材１の長手方向と略直交する方向において、凹溝７（箱目地７ａ又はＶ目地７ｂ）と凸条６とが交互に並設されている凹凸模様が形成されている。また、基材１には、基材１の短手方向と略平行に長い複数本の溝部１３が形成されている。この溝部１３は隣り合う凹溝７、７の間にわたって形成されている。また、溝部１３は上記Ｖ目地７ｂと同様に断面略Ｖ字状に形成されている。その他の構成は上記図２に示す基材１と同様に形成されている。
【００２４】
また、この建築板Ａの柄部２は上記と同様に、凸面３の全面にわたって形成される凸面柄８と、凹面４の全面にわたって形成される凹面柄９とで構成されている。凸面柄８は上記と同様の多数個の線状柄８ａを基材１の長手方向と略平行に並べて形成されている。凹面柄９は複数の色が点在した斑模様に形成されている。
【００２５】
上記のようにして形成された柄部２は平面視において、斜面５を挟んで隣り合うように形成されている。この場合、凸面柄８、８は、平面視において、Ｖ目地７ｂの斜面５を挟んで隣り合っている。また、凸面柄８と凹面柄９とは、平面視において、箱目地７ａの斜面５を挟んで隣り合うように形成されている。
【００２６】
また、各柄部２の周端部には上記と同様の延長部１０が形成されている。すなわち、凸面柄８の周端部（長手端部及び短手端部）には凸面柄延長部１１が形成されている。この凸面柄延長部１１は凸面柄８に隣り合う凸面柄８又は凹面柄９の一部領域にまで達するように形成されている。また、凹面柄９の周端部（長手端部及び短手端部）には凹面柄延長部１２が形成されている。この凹面柄延長部１２は凹面柄９に隣り合う凸面柄８の一部領域にまで達するように形成されている。また、凸面柄延長部１１は凸面柄８と同様の色及び形状に形成されるが、その凸面柄８の周端部から遠ざかるほど徐々に薄くなって次第に消失するように形成されている。また、凹面柄延長部１２は凹面柄９と同様の色及び形状に形成されるが、その凹面柄９の周端部から遠ざかるほど徐々に薄くなって次第に消失するように形成されている。
【００２７】
そして、凸面柄延長部１１とこの凸面柄延長部１１が延長された凸面柄８又は凹面柄９の一部領域とは、互いに視認可能に重ね合わされたように表現されている。また、凹面柄延長部１２とこの凹面柄延長部１２が延長された凸面柄８の一部領域とは、互いに視認可能に重ね合わされたように表現されている。さらに、斜面５では凸面柄延長部１１、１１同士又は凸面柄延長部１１と凹面柄延長部１２とが互いに視認可能に重ね合わされたように表現されている。
【００２８】
このように形成される建築板Ａは、その他の構成が図１に示す実施の形態と同様に形成され、また、その効果も図１に示す実施の形態と同様である。
【００２９】
上記の建築板Ａにおいて、柄部２及び延長部１０は、その形態を容易に作成したり変更したりすることができるように、細線４はインクジェットプリンタで印刷又は塗装して形成するのが好ましい。この場合、凸版や凹版などの印刷版を用いて印刷又は塗装する場合に比べて、色変えや柄変えなどを容易に行うことができる。柄部２及び延長部１０をインクジェットプリンタで印刷又は塗装する場合は、柄部２及び延長部１０の形態のデータをコンピュータなどの制御手段に入力し、このデータに基いて制御手段でインクジェットプリンタを制御して柄部２及び延長部１０を印刷することができる。もちろん、柄部２及び延長部１０は印刷版を用いて印刷又は塗装することもできる。
【００３０】
尚、図５に図１に示す建築板Ａの写真を示す。また、図６に図３に示す建築板Ａの写真を示す。
【符号の説明】
【００３１】
Ａ  建築板
１  基材
２  柄部
７  凹溝
１０  延長部
【図２】
2013204339.tif 000003
【図４】
2013204339.tif 000004
【図１】
2013204339.tif 000005
【図３】
2013204339.tif 000006
【図５】
2013204339.tif 000007
【図６】
2013204339.tif 000008